(57)【要約】      （修正有）【課題】端末と基地局間の通信がアンライセンス周波数帯で動作するシステムにおいて、動作周波数ポイントが干渉された場合に周波数と帯域幅の調整を行う搬送波ホッピング方法を提供し、ユーザ体験を向上させる。【解決手段】方法は、１セットのシステム情報を共用する搬送波セットを設定し、基地局が古い搬送波と同じ搬送波セットに属する新しい搬送波でホッピングし、シグナリングにより、搬送波ホッピングを行うように端末に指示する。【選択図】図６
2020074575.tif 000002
【特許請求の範囲】
【請求項１】
搬送波ホッピング方法であって、
端末が第一の搬送波サブセットで基地局から送信されたシグナリングを受信し、ここで、前記端末が現在前記第一の搬送波サブセットでデータを伝送または常駐し、前記シグナリングが前記第一の搬送波サブセットから第二の搬送波サブセットにホッピングしてデータを伝送または常駐するように前記端末に指示することに用いられ、前記第一の搬送波サブセットと前記第二の搬送波サブセットがいずれも予め設定された搬送波セットに属し、前記予め設定された搬送波セットのうちのいずれか二つの搬送波の中心周波数ポイント及び／又は帯域幅が異なり、前記予め設定された搬送波セットが１セットのシステム情報を有し、前記第一の搬送波サブセットと前記第二の搬送波サブセットがそれぞれ少なくとも一つの搬送波を含み、前記第一の搬送波サブセットが前記第二の搬送波サブセットと完全に同じではないことと、
前記端末が前記シグナリングに基づき、第一の時点から、前記第二の搬送波サブセットでデータを伝送または常駐することとを含む、前記搬送波ホッピング方法。
【請求項２】
前記方法は、
前記第一の時点の後、前記端末が前記第二の搬送波サブセットを介して前記システム情報を取得することをさらに含むことを特徴とする
請求項１に記載の方法。
【請求項３】
前記シグナリングは、前記第二の搬送波サブセットを示すための第一の構成情報を含むことを特徴とする
請求項１又は２に記載の方法。
【請求項４】
前記第一の構成情報は、前記第二の搬送波サブセットの搬送波を示すための搬送波インデックス、中心周波数ポイントインデックス又はビットマップ（ｂｉｔｍａｐ）のうちの一つを含むことを特徴とする
請求項３に記載の方法。
【請求項５】
前記端末が第一の搬送波サブセットで基地局から送信されたシグナリングを受信することは、
前記端末が前記第一の搬送波サブセット上の時間ユニットｎにおいて前記基地局から送信された前記シグナリングを受信することを含み、ここで、ｎが時間ユニットインデックス番号であり、
前記端末が前記シグナリングに基づき、第一の時点から、前記第二の搬送波サブセットでデータを伝送することは、
前記端末が前記シグナリングに基づき、時間ユニットｎ＋Ｎから、前記第二の搬送波サブセットでデータを伝送することを含み、Ｎが正整数であることを特徴とする
請求項１〜４のいずれか１項に記載の方法。
【請求項６】
Ｎは定数であり、又は、
Ｎは約束されたルールに従って確定され、又は、
Ｎは前記基地局に配置されることを特徴とする
請求項５に記載の方法。
【請求項７】
前記シグナリングは、ブロードキャストチャネル、物理下りリンク制御チャネルＰＤＣＣＨの共通検索スペースＣＳＳにおける下りリンク制御情報ＤＣＩ、強化型物理下りリンク制御チャネルＥＰＤＣＣＨのＣＳＳにおけるＤＣＩ、ＰＤＣＣＨのユーザ装置ＵＥ専用検索スペースＵＳＳにおけるＤＣＩ、ＥＰＤＣＣＨのＵＳＳにおけるＤＣＩ、専用物理チャネル、メディアアクセス制御ＭＡＣ層のヘッダ、前記ＭＡＣ層の制御エレメントＣＥ、無線リソース制御ＲＲＣ層のシステム情報と前記ＲＲＣ層の専用シグナリングのうちの少なくとも一つに搬送されることを特徴とする
請求項１〜６のいずれか１項に記載の方法。
【請求項８】
前記方法は、
前記端末が前記シグナリングに基づき、時間ユニットｎ＋Ｎから、前記第二の搬送波サブセットでデータを伝送することは、
前記端末が前記時間ユニットｎ＋Ｎから、前記第二の搬送波サブセットで前記基地局から送信された信号又は物理チャネルを検出し、前記基地局が前記第二の搬送波サブセットの搬送波を占有してデータ伝送を行うかどうかを確定すること、又は、
前記基地局が連続しているＰ個の時間ユニット内でデータを伝送する場合、前記時間ユニットｎと前記時間ユニットｎ＋Ｎは前記連続しているＰ個の時間ユニット内の時間ユニットであり、前記端末が前記時間ユニットｎ＋Ｎから、前記第二の搬送波サブセットで下りリンク制御情報ＤＣＩを検出及び／又はデータを伝送し、前記Ｐ個の時間ユニットまで終了し、Ｐは正整数であること、又は、
前記基地局が連続しているＰ個の時間ユニット内でデータを伝送する場合、前記時間ユニットｎと前記時間ユニットｎ＋Ｎは前記連続しているＰ個の時間ユニット内の時間ユニットであり、前記端末が前記時間ユニットｎ＋Ｎから、前記第二の搬送波サブセットでＤＣＩを検出及び／又はデータを伝送し、Ｐ＋Ｅ個の時間ユニットまで終了し、Ｅが非負整数であり、Ｅの値が周波数変調のために必要な時間領域空きリソースの長さに関連し、Ｐは正整数であること、又は、
前記端末が前記時間ユニットｎ＋Ｎにおいて、前記第二の搬送波サブセットで前記基地局から送信された第二の構成情報を受信し、前記第二の構成情報が、前記基地局が前記時間ユニットｎ＋Ｎから連続して伝送する時間がＴであることを示すことに用いられ、Ｔが正数であり、前記端末が前記時間ユニットｎ＋Ｎから、前記第二の搬送波サブセットでＤＣＩ検出及び／又はデータを伝送し、前記時間ユニットＴまで終了することを含むことを特徴とする
請求項５又は６に記載の方法。
【請求項９】
前記端末が現在前記第一の搬送波サブセットでデータを伝送または常駐する場合、前記端末は前記第一の搬送波サブセットで基地局から送信されたシグナリングを受信することは、
前記端末が前記第一の搬送波サブセットでの第二の時点で基地局から送信されたシグナリングを受信することを含み、
前記第二の時点は前記システム情報の送信サブフレームに対応し、及び／又は
前記第二の時点はページングチャネルの送信サブフレームに対応することを特徴とする
請求項１に記載の方法。
【請求項１０】
前記予め設定された搬送波セットは、ブロードキャスト情報又は上位層シグナリングを介して予め設定された搬送波セットＳ｛Ｓ0、Ｓ１、……、ＳＭ-１｝を前記基地局によって予め配置し、Ｍは２より大きいか等しいことを特徴とする
請求項３に記載の方法。
【請求項１１】
前記予め設定された搬送波セットＳ｛Ｓ0、Ｓ１、……、ＳＭ-１｝の各搬送波は、少なくとも中心周波数ポイントを配置することを特徴とする
請求項１０に記載の方法。
【請求項１２】
2020074575.tif 000007
【請求項１３】
端末であって、
第一の搬送波サブセットで基地局から送信されたシグナリングを受信するように構成され、ここで、前記端末が現在前記第一の搬送波サブセットでデータを伝送または常駐し、前記シグナリングが前記第一の搬送波サブセットから第二の搬送波サブセットにホッピングしてデータを伝送または常駐するように前記端末に指示することに用いられ、前記第一の搬送波サブセットと前記第二の搬送波サブセットがいずれも予め設定された搬送波セットに属し、前記予め設定された搬送波セットのうちのいずれか二つの搬送波の中心周波数ポイント及び／又は帯域幅が異なり、前記予め設定された搬送波セットが１セットのシステム情報を有し、前記第一の搬送波サブセットと前記第二の搬送波サブセットがそれぞれ少なくとも一つの搬送波を含み、前記第一の搬送波サブセットが前記第二の搬送波サブセットと完全に同じではない受信モジュールと、
前記受信モジュールにより受信された前記シグナリングに基づき、第一の時点から、前記第二の搬送波サブセットでデータを伝送または常駐するように構成される処理モジュールとを含む、前記端末。
【発明の詳細な説明】
【技術分野】
【０００１】
本発明の実施例は通信分野に関し、具体的には、搬送波ホッピング方法と端末に関する。
【背景技術】
【０００２】
現在、無線セルラーシステムにおいてアンライセンス（Ｕｎｌｉｃｅｎｓｅｄ）周波数帯、例えば２．４ＧＨｚ、５．８ＧＨｚを使用して使用周波数を拡張することが考えられ、その主要な手段はライセンス支援アクセス（ＬＡＡ：Ｌｉｃｅｓｅ  Ａｓｓｉｓｔｅｄ  Ａｃｃｅｓｓ）と長期進化型（ＬＴＥ：Ｌｏｎｇ  Ｔｅｒｍ  Ｅｖｏｌｕｔｉｏｎ）／ワイヤレスフィデリティ（ＷｉＦｉ：ｗｉｒｅｌｅｓｓ  ｆｉｄｅｌｉｔｙ）アグリゲーション技術の２種類を含む。この２種類のアグリゲーション技術の主な特徴は、（１）集約されたリソースがアンライセンス周波数帯を含み、アンライセンス周波数帯がライセンス周波数帯の補助周波数帯のみとして使用されることと、（２）アンライセンス周波数帯の使用が基地局のスケジューリングだけでなく、該周波数帯の負荷に制限され、即ち使用できるために競争的メカニズムを通過する必要があることを含む。
【０００３】
現段階では、アンライセンス周波数帯はライセンス周波数帯の補充のみとして使用される。例えば、ＬＡＡ技術において、アンライセンス周波数帯はＬＴＥの動作モードを採用できるが、ライセンス周波数帯の副搬送波のみとして使用されることができる。将来、アンライセンス周波数帯は搬送波集約による従来のＬＡＡ技術に基づき、独立した動作モードをサポートする可能性があり、即ち端末はアンライセンス周波数帯の搬送波に独立に常駐し、アクセスし、且つ該搬送波を介してデータを送信又は受信することができる。アンライセンス周波数帯の搬送波の独立した動作機能をサポートするために、最も簡単な方法として従来のＬＴＥシステムにおけるライセンス周波数帯に応用されるブロードキャストメカニズム、ページングメカニズム、上りリンク及び下りリンクアクセスと伝送メカニズムを全てアンライセンス周波数帯に導入する。しかし、アンライセンス周波数帯が公衆周波数帯であるため、ＬＴＥシステムはその上で動作することができるだけでなく、他のシステム例えばＷｉ-Ｆｉはその上で動作することができる。
【０００４】
したがって、アンライセンス周波数帯を使用する従来のＬＡＡシステムにおいて、複数のシステムが周波数リソースを共用する管制ニューズを満たすために、話す前に聞く（ＬＢＴ：Ｌｉｓｔｅｎ  Ｂｅｆｏｒｅ  Ｔａｌｋ）メカニズムが導入され、即ち端末はアンライセンス周波数帯を使用する前に、チャネルの品質及び干渉状況に対して測定する必要があり、且つチャネルが占有されたかどうかを監視してから、使用できる。
【０００５】
従来のＬＡＡシステムはＬＢＴメカニズムを導入する他、大体ＬＴＥの従来のメカニズムとプロセスを流用し、即ちアンライセンス周波数帯の固定搬送波と固定帯域幅を確定し、システムの動作周波数と帯域幅とする。端末は、ライセンス周波数帯を主搬送波として、システム情報及び無線リソース制御（ＲＲＣ：Ｒａｄｉｏ  Ｒｅｓｏｕｒｃｅ  Ｃｏｎｔｒｏｌ）情報を送受信して受信ベアラーとアクセスを行い、データ伝送を行う。システムは主搬送波に搬送されたＲＲＣシグナリングによりＬＡＡ搬送波を副搬送波として端末に割り当てる。全過程において、システム帯域幅及びシステムの動作のための中心周波数は変化しないように維持される。
【０００６】
アンライセンス周波数帯で独立して動作するシステムでは、依然として従来の固定システム帯域幅及び中心周波数ポイントの方式を採用する場合、独立して動作するモードをサポートできるものの、動作周波数ポイントが干渉された時に必要な周波数と帯域幅の調整を行うことができなく、その結果、ユーザ体験が低下する。
【発明の概要】
【発明が解決しようとする課題】
【０００７】
本発明の実施例は搬送波ホッピング方法と端末を提供し、搬送波ホッピングを実現し、ユーザ体験を向上させることができる。
【課題を解決するための手段】
【０００８】
第一の態様による搬送波ホッピング方法であって、
端末が第一の搬送波サブセットで基地局から送信されたシグナリングを受信し、ここで、前記端末が現在前記第一の搬送波サブセットでデータを伝送または常駐し、前記シグナリングが前記第一の搬送波サブセットから第二の搬送波サブセットにホッピングしてデータを伝送または常駐するように前記端末に指示することに用いられ、前記第一の搬送波サブセットと前記第二の搬送波サブセットがいずれも予め設定された搬送波セットに属し、前記予め設定された搬送波セットのうちのいずれか二つの搬送波の中心周波数ポイント及び／又は帯域幅が異なり、前記予め設定された搬送波セットが１セットのシステム情報を有し、前記第一の搬送波サブセットと前記第二の搬送波サブセットがそれぞれ少なくとも一つの搬送波を含み、前記第一の搬送波サブセットが前記第二の搬送波サブセットと完全に同じではないことと、
前記端末が前記シグナリングに基づき、第一の時点から、前記第二の搬送波サブセットでデータを伝送または常駐することとを含む。
【０００９】
第一の態様の可能な実施形態において、前記方法は、
前記第一の時点の後、前記端末が前記第二の搬送波サブセットを介して前記システム情報を取得することをさらに含む。
【００１０】
ここで、本発明のシグナリングは前記第二の搬送波サブセットを示すための第一の構成情報を含む。
【００１１】
好ましくは、前記第一の構成情報は前記第二の搬送波サブセットの搬送波を示すための搬送波インデックス、中心周波数ポイントインデックス又はビットマップ（ｂｉｔｍａｐ）のうちの一つを含む。
【００１２】
第一の態様の可能な実施形態において、前記端末が第一の搬送波サブセットで基地局から送信されたシグナリングを受信することは、
前記端末が前記第一の搬送波サブセット上の時間ユニットｎにおいて前記基地局から送信された前記シグナリングを受信することを含み、ｎが時間ユニットインデックス番号であり、
前記端末が前記シグナリングに基づき、第一の時点から、前記第二の搬送波サブセットでデータを伝送することは、
前記端末が前記シグナリングに基づき、時間ユニットｎ＋Ｎから、前記第二の搬送波サブセットでデータを伝送することを含み、Ｎが正整数である。
【００１３】
ここで、Ｎは定数であり、又は、
Ｎは約束されたルールに従って確定され、又は、
Ｎは前記基地局に配置される。
【００１４】
本発明において、前記シグナリングは、ブロードキャストチャネル、物理下りリンク制御チャネルＰＤＣＣＨの共通検索スペースＣＳＳにおける下りリンク制御情報ＤＣＩ、強化型物理下りリンク制御チャネルＥＰＤＣＣＨのＣＳＳにおけるＤＣＩ、ＰＤＣＣＨのユーザ装置ＵＥ専用検索スペースＵＳＳにおけるＤＣＩ、ＥＰＤＣＣＨのＵＳＳにおけるＤＣＩ、専用物理チャネル、メディアアクセス制御ＭＡＣ層のヘッダ、前記ＭＡＣ層の制御エレメントＣＥ、無線リソース制御ＲＲＣ層のシステム情報と前記ＲＲＣ層の専用シグナリングのうちの少なくとも一つに搬送される。
【００１５】
第一の態様の可能な実施形態において、前記方法は、
前記端末が前記シグナリングに基づき、時間ユニットｎ＋Ｎから、前記第二の搬送波サブセットでデータを伝送することは、
前記端末が前記時間ユニットｎ＋Ｎから、前記第二の搬送波サブセットで前記基地局から送信された信号又は物理チャネルを検出し、前記基地局が前記第二の搬送波サブセットの搬送波を占有してデータ伝送を行うかどうかを確定すること、又は、
前記基地局が連続しているＰ個の時間ユニット内でデータを伝送する場合、前記時間ユニットｎと前記時間ユニットｎ＋Ｎは前記連続しているＰ個の時間ユニット内の時間ユニットであり、前記端末が前記時間ユニットｎ＋Ｎから、前記第二の搬送波サブセットで下りリンク制御情報ＤＣＩを検出及び／又はデータを伝送し、前記Ｐ個の時間ユニットまで終了し、Ｐは正整数であること、又は、
前記基地局が連続しているＰ個の時間ユニット内でデータを伝送する場合、前記時間ユニットｎと前記時間ユニットｎ＋Ｎは前記連続しているＰ個の時間ユニット内の時間ユニットであり、前記端末が前記時間ユニットｎ＋Ｎから、前記第二の搬送波サブセットでＤＣＩを検出及び／又はデータを伝送し、Ｐ＋Ｅ個の時間ユニットまで終了し、Ｅが非負整数であり、Ｅの値が周波数変調のために必要な時間領域空きリソースの長さに関連し、Ｐは正整数であること、又は、
前記端末が前記時間ユニットｎ＋Ｎにおいて、前記第二の搬送波サブセットで前記基地局から送信された第二の構成情報を受信し、前記第二の構成情報が、前記基地局が前記時間ユニットｎ＋Ｎから連続して伝送する時間がＴであることを示すことに用いられ、Ｔが正数であり、前記端末が前記時間ユニットｎ＋Ｎから、前記第二の搬送波サブセットでＤＣＩ検出及び／又はデータを伝送し、前記時間ユニットＴまで終了することを含む。
【００１６】
第一の態様の可能な実施形態において、前記端末が現在前記第一の搬送波サブセットでデータを伝送または常駐する場合、前記端末は前記第一の搬送波サブセットで基地局から送信されたシグナリングを受信することは、
前記端末が前記第一の搬送波サブセットでの第二の時点で基地局から送信されたシグナリングを受信することを含み、
前記第二の時点は前記システム情報の送信サブフレームに対応し、及び／又は
前記第二の時点はページングチャネルの送信サブフレームに対応する。
【００１７】
第一の態様の可能な実施形態において、前記予め設定された搬送波セットは、ブロードキャスト情報又は上位層シグナリングを介して予め設定された搬送波セットＳ｛Ｓ0、Ｓ１、……、ＳＭ-１｝を前記基地局によって予め配置し、Ｍは２より大きいか等しい。
【００１８】
ここで、前記予め設定された搬送波セットＳ｛Ｓ0、Ｓ１、……、ＳＭ-１｝の各搬送波は、少なくとも中心周波数ポイントを配置する。
【００１９】
2020074575.tif 000003
第一の態様による搬送波ホッピング方法は接続状態またはアイドル状態にある端末に応用され、１セットのシステム情報を有する搬送波セットを設定し、接続状態またはアイドル状態にある端末が基地局からの搬送波ホッピングを示すシグナリングを受信した場合、古い搬送波と同じ搬送波セットに属する新しい搬送波でデータを伝送または常駐し、動作周波数ポイントが干渉された時に必要な周波数と帯域幅の調整を行い、即ち搬送波ホッピングを実現し、ユーザ体験を向上させることができる。
【００２０】
第二の態様による端末は受信モジュール、処理モジュールを含み、第一の態様の対応する実現形態を実行することに用いられる。
【図面の簡単な説明】
【００２１】
【図１】ＬＴＥ搬送波集約技術の模式図である。
【図２】本発明の一つの実施例における搬送波ホッピング方法の概略的なフローチャートである。
【図３Ａ−３Ｂ】本発明の実施例における搬送波ホッピングの模式図である。
【図４Ａ−４Ｂ】本発明の実施例における搬送波ホッピングの模式図である。
【図５】本発明の別の実施例における搬送波ホッピング方法の概略的なフローチャートである。
【図６】本発明の別の実施例における搬送波ホッピング方法の概略的なフローチャートである。
【図７】本発明の一つの実施例における端末の概略的なブロック図である。
【図８】本発明の別の実施例における端末の概略的なブロック図である。
【図９】本発明の別の実施例における端末の概略的なブロック図である。
【図１０】本発明の別の実施例における端末の概略的なブロック図である。
【図１１】本発明の一つの実施例における基地局の概略的なブロック図である。
【図１２】本発明の別の実施例における基地局の概略的なブロック図である。
【発明を実施するための形態】
【００２２】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００２３】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００２４】
本明細書に使用される用語「部材」、「モジュール」、「システム」などはコンピュータに関連するエンティティ、ハードウェア、ファームウェア、ハードウェアとソフトウェアの組み合わせ、ソフトウェア、又は実行中のソフトウェアを表す。例えば、部材はプロセッサで実行されているプロセス、プロセッサ、オブジェクト、実行可能ファイル、実行スレッド、プログラム及び/又はコンピュータであってもよいがこれらに限定されない。図面に示すように、コンピューティングデバイスで実行されているアプリケーションとコンピューティングデバイスは部材であってもよい。一つ以上の部材はプロセス及び／又は実行スレッドに存在でき、部材は一つのコンピュータに位置し又は２つ以上のコンピュータの間に分布することができる。また、これらの部材は様々なデータ構造を記憶した上記の様々なコンピュータ可読媒体で実行されてもよい。部材は例えば一つ以上のデータグループ（例えばローカルシステム、分散型システム及び／又はネットワーク間の別の部材とインタラクションを行う二つの部材からのデータ、例えば信号により他のシステムとインタラクションを行うインターネット）を有する信号に基づいてローカル及び／又は遠隔プロセスにより通信することができる。
【００２５】
理解すべきものとして、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ」システム、汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに応用されることができる。
【００２６】
本発明は端末と組み合わせて各実施例を説明する。端末は無線アクセスネットワーク（ＲＡＮ：Ｒａｄｉｏ  Ａｃｃｅｓｓ  Ｎｅｔｗｏｒｋ）を介して一つ以上のコアネットワークと通信することができ、端末はユーザ装置（ＵＥ：Ｕｓｅｒ  Ｅｑｕｉｐｍｅｎｔ）、アクセス端末、加入者ユニット、加入者サイト、移動サイト、移動局、遠隔局、遠隔端末、移動装置、ユーザ端末、端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末などであってもよい。
【００２７】
本発明は基地局と組み合わせて各実施例を説明する。基地局は端末と通信するためのデバイスであってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局はリピータ、アクセスポイント、車載デバイス、ウェアラブルデバイス及び将来の５Ｇネットワークにおけるネットワーク側デバイスなどであってもよい。
【００２８】
以下に本発明の実施例に係る関連技術及び概念を簡単に説明する。
【００２９】
搬送波集約技術：
通信技術の発展に伴い、ＬＴＥ技術から長期進化技術アップグレード（ＬＴＥ−Ａｄｖａｎｃｅｄ、ＬＴＥ−Ａ）技術が進化する。ＬＴＥ−Ａのリリース１０（Ｒｅｌｅａｓｅ１０）システムにおいて、ＣＡ技術を使用して帯域幅拡張を実現し、即ち、図１に示す最大５個の搬送波ＣＣ１〜ＣＣ５を集約し、最大１００ＭＨｚの伝送帯域幅を実現することができる。端末の能力とそれが伝送するデータ量に応じて、基地局は各端末に対してそれが集約して伝送する搬送波の数量を設定することができ、集約された搬送波はメンバー搬送波と呼ばれてもよい。
【００３０】
一つの端末に対して、集約された複数のメンバー搬送波は以下の搬送波を含む。（１）主搬送波（ＰＣｅｌｌ：Ｐｒｉｍａｒｙ  Ｃｅｌｌ）であって、主搬送波が一つだけであり、端末が主搬送波で初期接続確立プロセス又は開始接続再確立プロセスを行い、端末が主搬送波のみでＰＤＣＣＨの共通検索スペースを受信し、且つ端末が主搬送波のみでＰＵＣＣＨを送信する。（２）副搬送波（ＳＣｅｌｌ：Ｓｅｃｏｎｄａｒｙ  Ｃｅｌｌ）であって、主搬送波以外のすべてのメンバー搬送波が副搬送波であり、端末が副搬送波でＤＣＩ、ＰＤＳＣＨを受信し、且つ副搬送波でＰＵＳＣＨを送信することができる。
【００３１】
本発明の実施例における方法、端末と基地局はライセンス搬送波を使用せず、アンライセンス搬送波を独立に使用して動作するシーン（以下にこのシーンを例として説明する）に応用されてよく、上記の搬送波集約シーンに応用されてもよく、本発明の実施例はこれに限定されない。
【００３２】
本発明の実施例において、システムはそれにサポートされる周波数帯の搬送波及び帯域幅の状況に応じて、一つの搬送波セットＳを予め設定することができる。該予め設定された搬送波セットＳは仮想セルを形成することができ、予め設定された搬送波セットＳは搬送波｛…Ｓｉ、…Ｓｊ、…｝を含む。予め設定された搬送波セットＳのうちのいずれか二つの搬送波ＳｉとＳｊ（ｉ≠ｊ）の中心周波数ポイント及び／又は帯域幅は異なる。
【００３３】
仮想セルの異なる搬送波に対して、1セットのシステム情報のみを送信し、即ち予め設定された搬送波セットの全ての搬送波は１セットのシステム情報を共用する。端末は該システム情報に基づいてネットワーク情報を取得し、セル選択を行ってネットワークにアクセルすることができる。該システム情報はマスタ情報ブロック（ＭＩＢ：Ｍａｓｔｅｒ  Ｉｎｆｏｒｍａｔｉｏｎ  Ｂｌｏｃｋ）を含み、ＭＩＢがシステム帯域幅情報及び物理ハイブリッド自動再送信インジケータチャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）などの構成情報を含む。システム情報はシステム情報ブロックタイプ１（ＳＩＢＩ：Ｓｙｓｔｅｍ  Ｉｎｆｏｒｍａｔｉｏｎ  Ｂｌｏｃｋ  Ｔｙｐｅ１）をさらに含み、ＳＩＢ１がセル識別子及びセル禁止情報とセル受信レベル情報などを含む。システム情報はシステム情報ブロックタイプ２（ＳＩＢＩ：Ｓｙｓｔｅｍ  Ｉｎｆｏｒｍａｔｉｏｎ  Ｂｌｏｃｋ  Ｔｙｐｅ２）をさらに含み、ＳＩＢ２が主に各無線チャネルのパラメータを定義することに用いられる。システム情報は他のいくつかの情報をさらに含むことができ、本発明の実施例はこれに限定されない。
【００３４】
システム情報は予め設定された搬送波セットＳの複数の搬送波を介して送信されてもよいし、又は予め設定された搬送波セットＳのある搬送波を選択して送信されてもよい。システム情報はブロードキャストシグナリング、専用シグナリング又はブロードキャストシグナリング＋専用シグナリングの形で送信されることができ、本発明の実施例はこれに限定されない。
【００３５】
本発明の一つの実施例において、端末は接続状態にある。接続状態とは端末が搬送波で接続を維持することを意味する。接続を維持することは、端末と基地局がデータを伝送すること、又はデータを伝送せずに基地局との接続のみを維持することを意味する。本発明の実施例において、端末は第一の搬送波サブセットＡの搬送波で接続を維持し、基地局は特定シグナリングにより第一の搬送波サブセットＡの搬送波で、サービス搬送波が第一の搬送波サブセットＡから第二の搬送波サブセットＢに変換することを端末に通知し、即ち第一の搬送波サブセットＡの搬送波から第二の搬送波サブセットＢの搬送波にホッピングして接続を維持するように端末に指示する。ここで、Ａ∈Ｓ、Ｂ∈Ｓ、Ａ≠Ｂ、即ち、第一の搬送波サブセットＡと第二の搬送波サブセットＢはいずれも予め設定された搬送波Ｓに属し、第一の搬送波サブセットＡと第二の搬送波サブセットＢはそれぞれ少なくとも一つの搬送波を含み、第一の搬送波サブセットＡの搬送波が第二の搬送波サブセットＢの搬送波と完全に同じではない。本発明の実施例において、第一の搬送波サブセットＡの搬送波が第二の搬送波サブセットＢと完全に同じではないことは、第一の搬送波サブセットＡの搬送波が第二の搬送波サブセットＢの少なくとも一つの搬送波と異なることを意味する。
【００３６】
端末は上記シグナリングに基づき、第一の時点Ｔ１から、第二の搬送波サブセットＢの搬送波で接続を維持する。この時、端末が接続された第二の搬送波サブセットＢの搬送波上の全てのシステム情報は第一の搬送波サブセットＡの搬送波上のシステム情報と一致するように維持される。且つ、好ましくは、第一の時点Ｔ１の後、端末は第二の搬送波サブセットＢの搬送波を介してシステム情報を取得する。
【００３７】
図２は接続状態にある端末から、本発明の実施例における搬送波ホッピング方法２００の概略的なフローチャートであり、該方法２００は、Ｓ２１０及びＳ２２０を含む。
【００３８】
Ｓ２１０において、端末が第一の搬送波サブセットの搬送波で基地局から送信されたシグナリングを受信し、ここで、該端末が現在該第一の搬送波サブセットの搬送波で接続を維持し、該シグナリングが該第一の搬送波サブセットの搬送波から第二の搬送波サブセットの搬送波にホッピングして接続を維持するように該端末に指示することに用いられ、該第一の搬送波サブセットと該第二の搬送波サブセットがいずれも予め設定された搬送波セットに属し、該予め設定された搬送波セットのうちのいずれか二つの搬送波の中心周波数ポイント及び／又は帯域幅が異なり、該予め設定された搬送波セットの全ての搬送波が１セットのシステム情報を共用し、該第一の搬送波サブセットと該第二の搬送波サブセットがそれぞれ少なくとも一つの搬送波を含み、該第一の搬送波サブセットの搬送波が該第二の搬送波サブセットの搬送波と完全に同じではない。
【００３９】
Ｓ２２０において、該端末が該シグナリングに基づき、第一の時点から、該第二の搬送波サブセットの搬送波で接続を維持する。
【００４０】
本発明の実施例における搬送波ホッピング方法では、１セットのシステム情報を共用する搬送波セットを設定し、接続状態にある端末が基地局からの搬送波ホッピングを示すシグナリングを受信した場合、古い搬送波と同じ搬送波セットに属する新しい搬送波で接続を維持し、動作周波数ポイントが干渉された時に必要な周波数と帯域幅の調整を行い、即ち搬送波ホッピングを実現し、ユーザ体験を向上させることができる。
【００４１】
本発明の実施例において、シグナリングは、第二の搬送波サブセットＢの搬送波を示すための第一の構成情報を含むことができる。第一の構成情報の構成は様々であってもよく、例えば第一の構成情報は第二の搬送波サブセットＢの搬送波を示すための搬送波インデックス、中心周波数ポイントインデックス又はビットマップ（ｂｉｔｍａｐ）などを含むことができる。
【００４２】
一つの具体的な例において、第一の構成情報は以下のように構成されることができる。基地局はブロードキャスト情報又は上位層シグナリングにより、予め設定された搬送波セットＳ｛Ｓ0、Ｓ１、……、ＳＭ-１｝を予め配置する。予め設定あれた搬送波セットＳを配置する場合、各搬送波Ｓｊに対して、少なくとも搬送波の中心周波数ポイントを配置する必要がある。搬送波のシステム帯域幅は表示的に配置されてもよいし、予め約束されてもよい。
【００４３】
第一の構成情報は予め設定された搬送波セットＳの一つ以上の搬送波を指定して第二の搬送波サブセットＢを構成する。第一の構成情報はｂｉｔｍａｐを使用して指定することができる。例えば、予め設定された搬送波セットＳに８つの元素｛Ｓ0、Ｓ１、……、Ｓ７｝が含まれ、第一の構成情報が｛１、０、０、０、０、１、０、０｝に設定されると、第二の搬送波サブセットＢが｛Ｓ０、Ｓ６｝であることを示す。
【００４４】
2020074575.tif 000004
【表１】
2020074575.tif 000005
【００４５】
別の一つの具体的な例において、基地局はブロードキャスト情報又は上位層シグナルにより、中心周波数ポイントセットＦ｛ｆ０、ｆ１、……、ｆＭ-1｝を予め配置する。セットＦの各元素が相異する。二つの部分の情報からなるシグナリングにより一つの搬送波、即ちセットＦから選択された中心周波数ポイントと対応するシステム帯域幅を示す。第一の構成情報は一つ以上の上記組み合わせシグナリングを含むことができる。ここで、中心周波数ポイントはｂｉｔｍａｐで示されることができる。 
【００４６】
2020074575.tif 000006
個のビットでセットＦの一つの中心周波数ポイントインデックスを示すことができ、Ｍが基地局によって配置され又はプロトコルによって約束されることができる。具体的な実現プロセスは前の例１の実現プロセスと類似するため、ここでは説明を省略する。
【００４７】
本発明の実施例において、シグナリングは、ブロードキャストチャネル、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の共通検索スペース（ＣＳＳ：Ｃｏｍｍｏｎ  Ｓｅａｒｃｈ  Ｓｐａｃｅ）における下りリンク制御情報（ＤＣＩ：Ｄｏｗｎｌｉｎｋ  Ｃｏｎｔｒｏｌ  Ｉｎｆｏｒｍａｔｉｏｎ）、強化型物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のＣＳＳにおけるＤＣＩ、ＰＤＣＣＨのＵＥ専用検索スペース（ＵＳＳ：ＵＥ−ｓｐｅｃｉｆｉｃ  Ｓｅａｒｃｈ  Ｓｐａｃｅ）におけるＤＣＩ、ＥＰＤＣＣＨのＵＳＳにおけるＤＣＩ、専用物理チャネル、メディアアクセス制御（ＭＡＣ：Ｍｅｄｉａ  Ａｃｃｅｓｓ  Ｃｏｎｔｒｏｌ）層のヘッダ、前記ＭＡＣ層の制御エレメント（ＣＥ：Ｃｏｎｔｒｏｌ  Ｅｌｅｍｅｎｔ）、無線リソース制御（ＲＲＣ：Ｒａｄｉｏ  Ｒｅｓｏｕｒｃｅ  Ｃｏｎｔｒｏｌ）層のシステム情報とＲＲＣ層の専用シグナリングのうちの少なくとも一つに搬送されることができる。
【００４８】
具体的には、第一の構成情報がＤＣＩにより搬送される具体的な解決策は以下の通りである。第一の構成情報はＣＳＳにおけるＤＣＩにより搬送されることができる。ＤＣＩは専用無線ネットワーク一時的識別子（ＲＮＴＩ：Ｒａｄｉｏ  Ｎｅｔｗｏｒｋ  Ｔｅｍｐｏｒｙ  Ｉｄｅｎｔｉｔｙ）によってスクランブルされ、ここで、専用ＲＮＴＩは基地局によって配置される。ＤＣＩのビット長さは従来のＤＣＩ  ｆｏｒｍａｔ  １Ａ又はＤＣＩ  ｆｏｒｍａｔ  １Ｃと同じである。構成情報はＵＳＳにおけるＤＣＩによって搬送されてもよい。理解すべきものとして、本発明の実施例におけるＤＣＩはさらに物理下りリンク共有チャネル（ＰＤSＣＨ：Ｐｈｙｓｉｃａｌ  Ｄｏｗｎｌｉｎｋ  Ｓｈａｒｅｄ  Ｃｈａｎｎｅｌ）又は物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）のスケジューリングなどに応用されてもよく、本発明の実施例はこれに限定されない。
【００４９】
第一の構成情報が専用物理チャネルによって搬送される場合、端末はプロトコルによって約束された方式に応じて専用物理チャネルに占有された物理リソースを確定し、該物理リソースがシステム帯域幅又は基地局によって配置された一部のパラメータに関連するが、表示的なシグナリングにより具体的なリソース位置を通知する必要がない。例えば、ＬＴＥのリリース８（Ｒｅ１−８：Ｒｅｌｅａｓｅ−８）における物理ハイブリッド自動再送信インジケータチャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）、物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）と類似する物理リソース確定方法を使用する。
【００５０】
ＤＣＩによる第一の構成情報の搬送に比べ、専用物理チャネルによる第一の構成情報の搬送の主な利点は、基地局が他の搬送波ＬＢＴに対する検出を完了する時間とデータスケジューリングを完了する（即ち従来の各物理チャネルリソースのマッピングを完了する）時間が異なるため、第一の構成情報が独立した専用物理チャネルによって搬送され、これにより第一の構成情報をできるだけ速く送信して他の物理チャネルの伝送に影響しないことを保証できることである。
【００５１】
第一の構成情報がＭＡＣ層によって搬送される場合、ＭＡＣ層のヘッダ（ＭＡＣ  ｈｅａｄｅｒ）によって搬送することができる。また、ＭＡＣ  ｈｅａｄｅｒはさらに該ＭＡＣ層のプロトコルデータユニット（ＰＤＵ：Ｐｒｏｔｏｃｏｌ  Ｄａｔａ  Ｕｎｉｔ）に関連する様々な情報、例えばロジックチャネルタイプ、ロジックチャネル信号などを伝送することができ、本発明の実施例はこれに限定されない。第一の構成情報はＭＡＣ層のＣＥによって搬送されてもよく、ＭＡＣ  ＣＥはさらにバッファ状態レポート（ＢＳＲ：Ｂｕｆｆｅｒ  Ｓｔａｔｕｓ  Ｒｅｐｏｒｔ）、トラッキング領域（ＴＡ：Ｔｒａｃｋｉｎｇ  Ａｒｅａ）情報などを伝送することができ、本発明の実施例はこれに限定されない。
【００５２】
第一の構成情報がＲＲＣ層によって搬送される場合、ＲＲＣ層のシステム情報によって搬送することができ、例えば従来のシステム情報ブロック（ＳＩＢ：Ｓｙｓｔｅｍ  Ｉｎｆｏｒｍａｔｉｏｎ  Ｂｌｏｃｋ）メッセージ、又は新しいＳＩＢメッセージによって搬送されることができる。第一の構成情報はさらにＲＲＣ層の専用シグナリング、例えばＲＲＣ再構成シグナリング、ＲＲＣ接続解放シグナリングなどにより搬送されることができ、本発明の実施例はこれに限定されない。
【００５３】
上記方法以外、第一の構成情報指示方法はＥＡＦＣＮ指示の方式を採用し、第二の搬送波サブセットＢの各搬送波の中心周波数ポイントとシステム帯域幅を示すことができる。モードは以下の通りである：
ＡＲＦＣＮ  １、Ｂａｎｄｗｉｄｔｈ１；
ＡＲＦＣＮ  ２、Ｂａｎｄｗｉｄｔｈ２；
ＡＲＦＣＮ  ３、Ｂａｎｄｗｉｄｔｈ３；
端末が第一の時点Ｔ１を確定することは具体的に以下の通りである。Ｓ２１０において、該端末が第一の搬送波サブセットの搬送波で基地局から送信されたシグナリングを受信し、ここで、該端末が該第一の搬送波サブセットＡの搬送波上のサブフレームｎにおいて該基地局から送信された該シグナリングを受信することを含むことができ、ここで、ｎがサブフレームインデックス番号である。Ｓ２２０において、端末がシグナリングに基づき、第一の時点Ｔ１から、第二の搬送波サブセットＢの搬送波で接続を維持し、ここで、端末がシグナリングに基づき、サブフレームｎ＋Ｎから、第二の搬送波サブセットＢの搬送波で接続を維持することを含むことができ、ここで、Ｎが正整数である。
【００５４】
理解すべきものとして、本発明の実施例におけるＮは定数であり、又はＮは約束されたルールに従って確定され、又はＮは基地局によって配置される。
【００５５】
また、一つの実施例として、Ｎは約束されたルールに従って確定され、方法２００において、
前記端末が、基地局が連続しているＰ個のサブフレームにおいてデータを伝送することを確定し、Ｐが正整数であり、
端末が第一の搬送波サブセットの搬送波で基地局から送信されたシグナリングを受信するＳ２１０は、
該端末が該第一の搬送波サブセットの搬送波上のサブフレームｎにおいて該基地局から送信された該シグナリングを受信することを含むことができ、ここで、該サブフレームｎが該連続しているＰ個のサブフレームのうちの一つであり、
該端末が該シグナリングに基づき、第一の時点から、該第二の搬送波サブセットの搬送波で接続を維持するＳ２２０は、
該端末がサブフレームｎ＋Ｑが該連続しているＰ個のサブフレームのうちの一つであるかどうかを判定することを含むことができ、ここで、Ｑが正整数であり且つＱが定数であること、
該サブフレームｎ＋Ｑが該連続しているＰ個のサブフレームのうちの一つではない場合、該サブフレームｎ＋Ｎを該サブフレームｎ＋Ｑとして確定すること、
該サブフレームｎ＋Ｑが該連続しているＰ個のサブフレームのうちの一つである場合、該サブフレームｎ＋Ｎを該連続しているＰ個のサブフレームの後のＣ番目のサブフレームとして確定し、Ｃが正整数であり且つＣが定数であること、
該端末が該サブフレームｎ＋Ｎから、該第二の搬送波サブセットの搬送波で接続を維持することを含むことができる。
【００５６】
具体的には、Ｑの物理的意味はシステム処理遅延であり、即ちＱはシステム処理遅延に関連し、Ｃの物理的意味は周波数変調処理遅延であり、即ちＣは周波数変調処理遅延に関連する。基地局は連続しているＰ個のサブフレームを占有してデータ伝送を行うことを確定し、サブフレームｎが連続しているＰ個のサブフレームのうちの一つである。基地局はシステム処理遅延に対応するサブフレーム数Ｑに基づき、サブフレームｎ＋Ｑが該連続しているＰ個のサブフレームのうちの一つであるかどうかを判定する。サブフレームｎ＋Ｑが該連続しているＰ個のサブフレームのうちの一つではない場合、基地局は該サブフレームｎ＋Ｎを該サブフレームｎ＋Ｑとして確定し、サブフレームｎ＋Ｑが該連続しているＰ個のサブフレームのうちの一つである場合、基地局はサブフレームｎ＋Ｎを連続しているＰ個のサブフレームの後のＣ番目のサブフレームとして確定する。端末はサブフレームｎ＋Ｎから第二の搬送波サブセットＢで複数のサブフレームを伝送して接続を維持する。即ち、基地局はホッピングした後、新しい搬送波でホッピンする前の接続状態を維持し続ける。
【００５７】
一つの具体的な例において、元の搬送波と新しい搬送波でのデータ伝送のためのサブフレーム数がＰであってもよい。図３Ａは搬送波の切り替えを完了するためにいくつかのシンボル（例えば直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル）を空きにする必要があることを示す。図３Ｂは搬送波の切り替えを完了するために一つのサブフレームを空きにする必要があることを示す。理解すべきものとして、図３Ａと図３Ｂは概略的なものに過ぎず、本発明の実施例を限定することを意図するものではない。
【００５８】
別の具体的な例において、基地局は連続しているＰ個のサブフレームを占有してデータ伝送を行うことを確定し、サブフレームｎが連続しているＰ個のサブフレームのうちの一つである場合、サブフレームｎ＋Ｎが連続しているＰ個のサブフレームの後のＣ番目のサブフレームである。好ましくは、連続しているＰ個のサブフレームの後の第一の又は第二のサブフレームである。図４Ａは搬送波の切り替えを完了するためにいくつかのシンボルを空きにする必要があることを示す。図４Ｂは搬送波の切り替えを完了するために一つのサブフレームを空きにする必要があることを示す。理解すべきものとして、図４Ａと図４Ｂは概略的なものに過ぎず、本発明の実施例を限定することを意図するものではない。
【００５９】
本発明の実施例において、方法２００は、
該端末が、該基地局が連続しているＰ個のサブフレームにおいてデータを伝送することを確定し、ここで、Ｐが正整数であり、該サブフレームｎと該サブフレームｎ＋Ｎが該連続しているＰ個のサブフレームのうちのサブフレームであることをさらに含むことができ、
該端末が該シグナリングに基づき、サブフレームｎ＋Ｎから、該第二の搬送波サブセットの搬送波で接続を維持することは、
該端末が該サブフレームｎ＋Ｎから、該第二の搬送波サブセットの搬送波で該基地局から送信された信号又は物理チャネルを検出し、該基地局が該第二の搬送波サブセットの搬送波を占有してデータ伝送を行うかどうかを確定すること、又は
該端末が該サブフレームｎ＋Ｎから、該第二の搬送波サブセットの搬送波で下りリンク制御情報ＤＣＩ検出及び／又はデータを伝送し、該Ｐ個のサブフレームまで終了すること、又は
該端末が該サブフレームｎ＋Ｎから、該第二の搬送波サブセットの搬送波でＤＣＩを検出及び／又はデータを伝送し、Ｐ＋Ｅ個のサブフレームまで終了し、Ｅが非負整数であり、Ｅの値が周波数変調のために必要な時間領域空きリソースの長さに関連すること、又は
該端末が該サブフレームｎ＋Ｎにおいて、該第二の搬送波サブセットの搬送波で該基地局から送信された第二の構成情報を受信し、該第二の構成情報が該サブフレームｎ＋Ｎから連続して伝送するサブフレーム数がＴであることを示すことに用いられ、Ｔが正整数であり、該端末が該サブフレームｎ＋Ｎから、該第二の搬送波サブセットの搬送波でＤＣＩを検出及び／又はデータを伝送し、該Ｔ個のサブフレームまで終了することを含む。
【００６０】
本発明の別の実施例において、端末はアイドル状態にある。アイドル状態は端末が搬送波に常駐することを意味する。本発明の実施例において、端末は第一の搬送波サブセットＡの搬送波に常駐する。第二の時点Ｔ２（アイドル状態にある端末がシグナリングを受信できる時点、例えばブロードキャストシグナリングスケジューリング時点又はページングメッセージ受信時点）において、基地局は特定シグナリングによって第一の搬送波サブセットＡの搬送波で、サービス搬送波が第一の搬送波サブセットＡから第二の搬送波サブセットＢに変換することを端末に通知し、即ち第一の搬送波サブセットＡの搬送波から第二の搬送波サブセットＢの搬送波にホッピングして常駐するように端末に指示する。ここで、Ａ∈Ｓ、Ｂ∈Ｓ、Ａ≠Ｂ。Ａ、Ｂ、Ｓの理解について、端末が接続状態にある実施例の場合と一致するため、ここでは説明を省略する。
【００６１】
端末は上記シグナリングに基づき、第一の時点Ｔ１から、第二の搬送波サブセットＢの搬送波に常駐する。この場合、端末に接続された第二の搬送波サブセットＢの搬送波上の全てのシステム情報は第一の搬送波サブセットＡの搬送波上のシステム情報と一致するように維持される。且つ、好ましくは、第一の時点Ｔ１の後、端末は第二の搬送波サブセットＢの搬送波を介してシステム情報を取得する。
【００６２】
図５はアイドル状態にある端末から、本発明の実施例における搬送波ホッピング方法５００の概略的なフローチャートであり、該方法５００は、Ｓ５１０及びＳ５２０を含む。
【００６３】
Ｓ５１０において、端末が第一の搬送波サブセットの搬送波上の第二の時点において基地局から送信されたシグナリングを受信し、ここで、該端末が現在該第一の搬送波サブセットの搬送波に常駐し、該シグナリングが該第一の搬送波サブセットの搬送波から第二の搬送波サブセットの搬送波にホッピングして常駐するように該端末に指示することに用いられ、該第一の搬送波サブセットと該第二の搬送波サブセットがいずれも予め設定された搬送波セットに属し、該予め設定された搬送波セットのうちのいずれか二つの搬送波の中心周波数ポイント及び／又は帯域幅が異なり、該予め設定された搬送波セットの全ての搬送波が１セットのシステム情報を共用し、該第一の搬送波サブセットと該第二の搬送波サブセットがそれぞれ少なくとも一つの搬送波を含み、該第一の搬送波サブセットの搬送波が該第二の搬送波サブセットの搬送波と完全に同じではない。
【００６４】
Ｓ５２０において、該端末が該シグナリングに基づき、第一の時点から、該第二の搬送波サブセットの搬送波に常駐する。
【００６５】
本発明の実施例における搬送波ホッピング方法では、１セットのシステム情報を共用する搬送波セットを設定し、アイドル状態にある端末が基地局からの搬送波ホッピングを示すシグナリングを受信した場合、古い搬送波と同じ搬送波セットに属する新しい搬送波に常駐し、動作周波数ポイントが干渉された時に必要な周波数と帯域幅の調整を行い、即ち搬送波ホッピングを実現し、ユーザ体験を向上させることができる。
【００６６】
本発明の実施例において、第二の時点Ｔ２はシステム情報の送信サブフレームに対応し、及び／又は第二の時点Ｔ２はページングチャネルの送信サブフレームに対応する。第二の時点Ｔ２はアイドル状態にある端末がシグナリングを受信できる一連の時点であってもよい。
【００６７】
一つの実施例において、基地局は搬送波ホッピングを実行する前に、システム情報によってシグナリングを送信する。該シグナリングは第二の搬送波サブセットＢの搬送波を示すための構成情報を含むことができる。同時に、シグナリングは第一の時点Ｔ１を示すための情報を含むことができる。該第一の時点Ｔ１は表示的にシグナリングによって端末に割り当てられることができ、暗黙的な約束により、端末と基地局が予めホッピング時間を約束することができ、例えばいくつかのサブフレームの後にある。
【００６８】
理解すべきものとして、アイドル状態にある端末の実施例と接続状態にある端末の実施例では第一の時点の説明が使用され、二つの実施例における第一の時点は同じであってもよく、異なってもよく、本発明の実施例はこれに限定されない。
【００６９】
基地局は搬送波ホッピングを実行する前及び／又は搬送波ホッピングを実行した後、ページングチャネル、又はページングチャネルの送信サブフレームにおけるＰＤＣＣＨの共通検索スペースにおけるＣＳＳの下りリンク制御情報ＤＣＩ、又はページングチャネルの送信サブフレームにおける強化型物理下りリンク制御チャネルＥＰＤＣＣＨのＣＳＳ内のＤＣＩによってシグナリングを搬送することができる。該シグナリングは第二の搬送波サブセットＢの搬送波を示すための第一の構成情報を含むことができる。同時に、シグナリングはシステム情報の属するセルを示すための情報を含むことができる。該セルの情報は、元に常駐した周波数帯にアクセスしたセルから送信された各シグナリング又はデータを区分するように、物理セル識別子（ＰＣＩ：Ｐｈｙｓｉｃａｌ  Ｃｅｌｌ  Ｉｄｅｎｔｉｆｉｅｒ）、Ｅ−ＵＴＲＡＮセルグローバル識別子（ＥＣＧＩ：Ｅ−ＵＴＲＡＮ  Ｃｅｌｌ  Ｇｌｏｂａｌ  Ｉｄｅｎｔｉｆｉｅｒ）などを含むことができる。ここで、Ｅ−ＵＴＲＡＮは進化型ユニバーサル地上無線アクセスネットワーク（Ｅｖｏｌｖｅｄ  ＵＴＲＡＮ＝Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）である。
【００７０】
より具体的には、シグナリングの送信は下記の方式のうちの一つ以上の組み合わせで実現されることができる。該第二の時点がブロードキャストチャネルの送信サブフレームに対応する場合、該基地局は該ブロードキャストチャネルを介して該シグナリングを送信し、該第二の時点が該システム情報の送信サブフレームに対応する場合、該基地局はシステム情報により該シグナリングを送信し、該第二の時点がページングチャネルの送信サブフレームに対応する場合、該基地局は該ページングチャネル、物理下りリンク制御チャネルＰＤＣＣＨの共通検索スペースＣＳＳにおける下りリンク制御情報ＤＣＩとページングチャネルの送信サブフレームにおける強化型物理下りリンク制御チャネルＥＰＤＣＣＨのＣＳＳにおけるＤＣＩのうちの少なくとも一つにより該シグナリングを送信する。
【００７１】
上述したように、該第一の構成情報はシステム情報、ページングチャネルの送信サブフレームのＣＳＳのＣＤＩのうちの少なくとも一つに搬送されてもよい。接続状態にある端末の実施例と同様に、第一の構成情報は該第二の搬送波サブセットの搬送波を示すための搬送波インデックス、中心周波数ポイントインデックス又はビットマップ（ｂｉｔｍａｐ）を含むことができる。
【００７２】
図６は基地局から、本発明の実施例における搬送波ホッピング方法６００の概略的なフローチャートであり、該方法６００は、Ｓ６１０及びＳ６２０を含む。
【００７３】
Ｓ６１０において、基地局が端末へシグナリングを送信し、該シグナリングは、基地局が該第一の搬送波サブセットの搬送波から第二の搬送波サブセットの搬送波にホッピングして動作することを指示することに用いられ、該第一の搬送波サブセットと該第二の搬送波サブセットがいずれも予め設定された搬送波セットに属し、該予め設定された搬送波セットのうちのいずれか二つの搬送波の中心周波数ポイント及び／又は帯域幅が異なり、該予め設定された搬送波セットの全ての搬送波が１セットのシステム情報を共用し、該第一の搬送波サブセットと該第二の搬送波サブセットがそれぞれ少なくとも一つの搬送波を含み、該第一の搬送波サブセットの搬送波が該第二の搬送波サブセットの搬送波と完全に同じではない。
【００７４】
Ｓ６２０において、該基地局が第一の時点から、第二の搬送波サブセットの搬送波で動作する。
【００７５】
本発明の実施例における搬送波ホッピング方法では、１セットのシステム情報を共用する搬送波セットを設定し、基地局が古い搬送波と同じ搬送波セットに属する新しい搬送波でホッピングし、シグナリングにより、搬送波ホッピングを行うように端末に指示し、動作周波数ポイントが干渉された時に必要な周波数と帯域幅の調整を行い、即ち搬送波ホッピングを実現し、ユーザ体験を向上させることができる。
【００７６】
また、一つの実施例において、接続状態にある端末に対して、基地局が端末へシグナリングを送信するＳ６１０は、
該基地局が該第一の時点の前に、該第一の搬送波サブセットの搬送波で、ブロードキャストチャネル、物理下りリンク制御チャネルＰＤＣＣＨの共通検索スペースＣＳＳにおける下りリンク制御情報ＤＣＩ、強化型物理下りリンク制御チャネルＥＰＤＣＣＨのＣＳＳにおけるＤＣＩ、ＰＤＣＣＨのユーザ装置ＵＥ専用検索スペースＵＳＳにおけるＤＣＩ、ＥＰＤＣＣＨのＵＳＳにおけるＤＣＩ、専用物理チャネル、メディアアクセス制御ＭＡＣ層のヘッダ、該ＭＡＣ層の制御エレメントＣＥ、無線リソース制御ＲＲＣ層のシステム情報と該ＲＲＣ層の専用シグナリングのうちの少なくとも一つにより、該端末へ該シグナリングを送信することを含むことができる。
【００７７】
また、別の実施例において、アイドル状態にある端末に対して、基地局が端末へシグナリングを送信するＳ６１０は、
該基地局が該第一の時点の後の第二の時点に該第一の搬送波サブセットの搬送波にホッピングして該端末へ該シグナリングを送信することを含むことができ、
ここで、該基地局が以下の方式のうちの少なくとも一つにより、該端末へ該シグナリングを送信する：
該第二の時点がブロードキャストチャネルの送信サブフレームに対応する場合、該基地局が該ブロードキャストチャネルを介して該シグナリングを送信すること、
該第二の時点が該システム情報の送信サブフレームに対応する場合、該基地局がシステム情報により該シグナリングを送信すること、
該第二の時点がページングチャネルの送信サブフレームに対応する場合、該基地局が該ページングチャネル、物理下りリンク制御チャネルＰＤＣＣＨの共通検索スペースＣＳＳにおける下りリンク制御情報ＤＣＩとページングチャネルの送信サブフレームにおける強化型物理下りリンク制御チャネルＥＰＤＣＣＨのＣＳＳにおけるＤＣＩのうちの少なくとも一つにより該シグナリングを送信することである。
【００７８】
ここで、該第二の時点は、
該第一の時点の後、該ブロードキャストチャネルの先頭のＤ個の送信サブフレーム、
該第一の時点の後、該システム情報の先頭のＤ個の送信サブフレーム、及び
該第一の時点の後、ページングチャネルの先頭のＤ個の送信サブフレームのうちの少なくとも一つに対応し、
ここで、Ｄは正整数であり、プロトコルによって約束され又は該基地局によって配置される。
【００７９】
アイドル状態にある端末に対して、該シグナリングは該第一の時点を示すための情報を含む。具体的には、該シグナリングは該端末が該第二の搬送波サブセットの搬送波に常駐し始める第一の時点を示すための情報を含むことができる。
【００８０】
アイドル状態にある端末に対して、該シグナリングは該システム情報の属するセルを示すための情報を含むことができる。
【００８１】
本発明の実施例において、該シグナリングは該第二の搬送波サブセットの搬送波を示すための第一の構成情報を含む。
【００８２】
本発明の実施例において、該第一の構成情報は該第二の搬送波サブセットの搬送波を示すための搬送波インデックス、中心周波数ポイントインデックス又はビットマップ（ｂｉｔｍａｐ）を含むことができる。
【００８３】
本発明の実施例において、基地局が端末へシグナリングを送信するＳ６１０は、
該基地局が該第一の搬送波サブセットの搬送波上のサブフレームｎにおいて該端末へ該シグナリングを送信することを含むことができ、ｎがサブフレームインデックス番号であり、
基地局が第一の時点から、第二の搬送波サブセットの搬送波で動作するＳ６２０は、
該基地局がサブフレームｎ＋Ｎから、該第二の搬送波サブセットの搬送波で動作することを含み、Ｎが正整数である。
【００８４】
ここで、Ｎは定数であり、又は
Ｎは約束されたルールに従って確定され、又は
Ｎは該基地局に配置される。
【００８５】
一つの実施例において、Ｎは約束されたルールに従って確定され、該方法６００は、
該基地局が連続しているＰ個のサブフレームにおいてデータを伝送し、Ｐが正整数であり、該サブフレームｎが該連続しているＰ個のサブフレームのうちの一つであることをさらに含み、
基地局が第一の時点から、該第二の搬送波サブセットの搬送波で動作するＳ６２０は、
該基地局がサブフレームｎ＋Ｑが該連続しているＰ個のサブフレームのうちの一つであるかどうかを判定し、Ｑが正整数であり且つＱが定数であること、
該サブフレームｎ＋Ｑが該連続しているＰ個のサブフレームのうちの一つではない場合、該サブフレームｎ＋Ｎを該サブフレームｎ＋Ｑとして確定すること、
該サブフレームｎ＋Ｑが該連続しているＰ個のサブフレームのうちの一つである場合、該サブフレームｎ＋Ｎを該連続しているＰ個のサブフレームの後のＣ番目のサブフレームとして確定し、Ｃが正整数且つ定数であること、
該基地局が該サブフレームｎ＋Ｎから、該第二の搬送波サブセットの搬送波で動作することを含む。
【００８６】
一つの具体的な実施例において、該方法６００は、
該基地局が連続しているＰ個のサブフレームにおいてデータを伝送し、Ｐが正整数であり、該サブフレームｎと該サブフレームｎ＋Ｎが該連続しているＰ個のサブフレームのうちのサブフレームであることをさらに含み、
基地局が第一の時点から、第二の搬送波サブセットの搬送波で動作する６２０は、
該基地局が該第二の搬送波サブセットの搬送波を占有してデータ伝送を行うことを確定する前に、該第二の搬送波サブセットの搬送波で信号を送信する又は物理チャネルによって、該基地局がデータ伝送を行うことを該端末に通知すること、
該基地局が該サブフレームｎ＋Ｎから、該第二の搬送波サブセットの搬送波でデータを伝送し、該Ｐ個のサブフレームまで終了すること、又は該基地局が該サブフレームｎ＋Ｎから、該第二の搬送波サブセットの搬送波でデータを伝送し、Ｐ＋Ｅ個のサブフレームまで終了し、Ｅが非負整数であり、Ｅの値が周波数変調のために必要な時間領域空きリソースの長さに関連すること、又は該基地局が該サブフレームｎ＋Ｎにおいて、該第二の搬送波サブセットの搬送波で第二の構成情報を送信し、該第二の構成情報が該サブフレームｎ＋Ｎから連続して伝送するサブフレームの数がＴであることを示すことに用いられ、Ｔが正整数であり、該基地局がサブフレームｎ＋Ｎから、該第二の搬送波サブセットの搬送波でデータを伝送し、該Ｔ個のサブフレームまで終了することを含む。
【００８７】
即ち、基地局は搬送波ホッピングを行った後、上記の形態に従ってデータ転送を継続することができる。当然、基地局は第二の搬送波サブセットＢにホッピングした後、今回の残りの伝送が完了されないデータの伝送を停止し、次回の伝送を待つことができ、本発明の実施例はこれに限定されない。
【００８８】
理解すべきものとして、本発明の各実施例において、上記の各プロセスの番号の大きさが実行順番の先後を意味しなく、各プロセスの実行順番がその機能と内部ロジックによって確定されるべきであり、本発明の実施例の実施プロセスに対していかなる限定を構成するものではい。
【００８９】
以上に本発明の実施例による搬送波ホッピング方法を詳しく説明し、以下に本発明の実施例による端末と基地局を説明する。
【００９０】
図７は本発明の一つの実施例による端末７００を示す概略的なブロック図である。該端末７００は接続状態にある端末であり、端末７００は、受信モジュール７１０及び処理モジュール７２０を含む。
【００９１】
前記受信モジュール７１０は、第一の搬送波サブセットの搬送波で基地局から送信されたシグナリングを受信するように構成され、ここで、該端末が現在該第一の搬送波サブセットの搬送波で接続を維持し、該シグナリングが該第一の搬送波サブセットの搬送波から第二の搬送波サブセットの搬送波にホッピングして接続を維持するように該端末に指示することに用いられ、該第一の搬送波サブセットと該第二の搬送波サブセットがいずれも予め設定された搬送波セットに属し、該予め設定された搬送波セットのうちのいずれか二つの搬送波の中心周波数ポイント及び／又は帯域幅が異なり、該予め設定された搬送波セットの全ての搬送波が１セットのシステム情報を共用し、該第一の搬送波サブセットと該第二の搬送波サブセットがそれぞれ少なくとも一つの搬送波を含み、該第一の搬送波サブセットの搬送波が該第二の搬送波サブセットの搬送波と完全に同じではない。
【００９２】
前記処理モジュール７２０は、該受信モジュール７１０により受信された該シグナリングに基づき、第一の時点から、該第二の搬送波サブセットの搬送波で接続を維持するように構成される。
【００９３】
本発明の実施例では１セットのシステム情報を共用する搬送波セットを設定し、接続状態にある端末が基地局からの搬送波ホッピングを示すシグナリングを受信した場合、古い搬送波と同じ搬送波セットに属する新しい搬送波で接続を維持し、動作周波数ポイントが干渉された時に必要な周波数と帯域幅の調整を行い、即ち搬送波ホッピングを実現し、ユーザ体験を向上させることができる。
【００９４】
また、一つの実施例として、該受信モジュール７１０はさらに、
該第一の時点の後、該第二の搬送波サブセットの搬送波を介して該システム情報を取得するように構成されてもよい。
【００９５】
また、一つの実施例として、該シグナリングは該第二の搬送波サブセットの搬送波を示すための第一の構成情報を含む。
【００９６】
また、一つの実施例として、該第一の構成情報は該第二の搬送波サブセットの搬送波を示すための搬送波インデックス、中心周波数ポイントインデックス又はビットマップ（ｂｉｔｍａｐ）を含む。
【００９７】
また、一つの実施例として、該受信モジュール７１０は具体的に、
該第一の搬送波サブセットの搬送波上のサブフレームｎにおいて該基地局から送信された該シグナリングを受信するように構成されてもよく、ここで、ｎがサブフレームインデックス番号であり、
該処理モジュール７２０は具体的に、
該シグナリングに基づき、サブフレームｎ＋Ｎから、該第二の搬送波サブセットの搬送波で接続を維持するように構成されてもよく、ここで、Ｎが正整数である。
【００９８】
また、一つの実施例として、Ｎは定数であってもよく、又は
Ｎは約束されたルールに従って確定されてもよく、又は
Ｎは該基地局によって配置されてもよい。
【００９９】
また、一つの実施例として、該シグナリングはブロードキャスト、物理下りリンク制御チャネルＰＤＣＣＨの共通検索スペースＣＳＳにおける下りリンク制御情報ＤＣＩ、強化型物理下りリンク制御チャネルＥＰＤＣＣＨのＣＳＳにおけるＤＣＩ、ＰＤＣＣＨのユーザ装置ＵＥ専用検索スペースＵＳＳにおけるＤＣＩ、ＥＰＤＣＣＨのＵＳＳにおけるＤＣＩ、専用物理チャネル、メディアアクセス制御ＭＡＣ層のヘッダ、該ＭＡＣ層の制御エレメントＣＥ、無線リソース制御ＲＲＣ層のシステム情報と該ＲＲＣ層の専用シグナリングのうちの少なくとも一つに搬送される。
【０１００】
また、一つの実施例として、Ｎは約束されたルールに従って確定され、該処理モジュール７２０はさらに、
該基地局が連続しているＰ個のサブフレームにおいてデータを伝送することを確定するように構成されてもよく、Ｐが正整数であり、
該受信モジュール７１０は具体的に、
該第一の搬送波サブセットの搬送波上のサブフレームｎにおいて該基地局から送信された該シグナリングを受信するように構成されてもよく、該サブフレームｎが該連続しているＰ個のサブフレームのうちの一つであり、
該処理モジュール７２０は具体的に、
サブフレームｎ＋Ｑが該連続しているＰ個のサブフレームのうちの一つであるかどうかを判定し、Ｑが正整数で且つＱが定数であり、
該サブフレームｎ＋Ｑが該連続しているＰ個のサブフレームのうちの一つではない場合、該サブフレームｎ＋Ｎが該サブフレームｎ＋Ｑであることを確定し、
該サブフレームｎ＋Ｑが該連続しているＰ個のサブフレームのうちの一つである場合、該サブフレームｎ＋Ｎを該連続しているＰ個のサブフレームの後のＣ番目のサブフレームとして確定し、Ｃが正整数であり且つＣが定数であり、
該端末が該サブフレームｎ＋Ｎから、該第二の搬送波サブセットの搬送波で接続を維持するように構成されてもよい。
【０１０１】
また、一つの実施例として、該処理モジュール７２０はさらに、
該基地局が連続しているＰ個のサブフレームにおいてデータを伝送することを確定するように構成されてもよく、Ｐが正整数であり、該サブフレームｎと該サブフレームｎ＋Ｎが該連続しているＰ個のサブフレームのうちのサブフレームであり、
該受信モジュール７２０は具体的に、
該サブフレームｎ＋Ｎから、該第二の搬送波サブセットの搬送波で該基地局から送信された信号又は物理チャネルを検出し、該基地局が該第二の搬送波サブセットの搬送波を占有してデータ伝送を行うかどうかを確定し、又は、
該サブフレームｎ＋Ｎから、該第二の搬送波サブセットの搬送波で下りリンク制御情報ＤＣＩを検出及び／又はデータを伝送し、該Ｐ個のサブフレームまで終了し、又は
該サブフレームｎ＋Ｎから、該第二の搬送波サブセットの搬送波でＤＣＩを検出及び／又はデータを伝送し、Ｐ＋Ｅ個のサブフレームまで終了し、Ｅが非負整数であり、Ｅの値が周波数変調のために必要な時間領域空きリソースの長さに関連し、又は
該サブフレームｎ＋Ｎにおいて、該第二の搬送波サブセットの搬送波で該基地局から送信された第二の構成情報を受信し、該第二の構成情報が、該基地局が前記サブフレームｎ＋Ｎから連続して伝送するサブフレームの数がＴであることを示すことに用いられ、Ｔが正整数であり、該サブフレームｎ＋Ｎから、該第二の搬送波サブセットの搬送波でＤＣＩ検出及び／又はデータを伝送し、該Ｔ個のサブフレームまで終了するように構成されてもよい。
【０１０２】
注意すべきものとして、本発明の実施例において、受信モジュール７１０は送受信機によって実現されてもよく、処理モジュール７２０はプロセッサによって実現されてもよい。図８に示すように、端末８００はプロセッサ８１０、送受信機８２０とメモリ８３０を含むことができる。ここで、メモリ８３０はプロセッサ８１０で実行されるコードなどを記憶するように構成されてもよい。
【０１０３】
端末８００における各コンポーネントはバスシステム８４０を介して結合され、バスシステム８４０はデータバスに加えて、電源バス、制御バスと状態信号バスを含む。
【０１０４】
図７に示す端末７００又は図８に示す端末８００は前記図１〜図６の実施例で実現される各プロセスを実現することができ、繰り返しを回避するために、説明を省略する。
【０１０５】
注意すべきものとして、本発明の上記方法の実施例はプロセッサに応用されてもよく、又はプロセッサによって実現される。プロセッサは信号の処理機能を有する集積回路チップであるかもしれない。実現プロセスにおいて、上記方法の実施例における各ステップはプロセッサにおけるハードウェアの集積ロジック回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェア部材であってもよい。本発明の実施例において開示される各方法、ステップ及びロジックブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号化プロセッサによって実行されて完了され、又は復号化プロセッサにおけるハードウェアモジュール及びソフトウェアモジュールの組み合わせによって実行されて完了されるように直接実現されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１０６】
本発明の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１０７】
図９は本発明の一つの実施例による端末９００の概略的なブロック図である。該端末９００はアイドル状態にある端末であり、端末９００は、受信モジュール９１０及び処理モジュール９２０を含む。
【０１０８】
前記受信モジュール９１０は、第一の搬送波サブセットの搬送波上の第二の時点において基地局から送信されたシグナリングを受信するように構成され、ここで、該端末が現在該第一の搬送波サブセットの搬送波に常駐し、該シグナリングが該第一の搬送波サブセットの搬送波から第二の搬送波サブセットの搬送波にホッピングして常駐するように該端末に指示することに用いられ、該第一の搬送波サブセットと該第二の搬送波サブセットがいずれも予め設定された搬送波セットに属し、該予め設定された搬送波セットのうちのいずれか二つの搬送波の中心周波数ポイント及び／又は帯域幅が異なり、該予め設定された搬送波セットの全ての搬送波が１セットのシステム情報を共用し、該第一の搬送波サブセットと該第二の搬送波サブセットがそれぞれ少なくとも一つの搬送波を含み、該第一の搬送波サブセットの搬送波が該第二の搬送波サブセットの搬送波と完全に同じではない。
【０１０９】
前記処理モジュール９２０は、該受信モジュール９１０により受信された該シグナリングに基づき、第一の時点から、該第二の搬送波サブセットの搬送波に常駐するように構成される。
【０１１０】
本発明の実施例では１セットのシステム情報を共用する搬送波セットを設定し、アイドル状態にある端末が基地局からの搬送波ホッピングを示すシグナリングを受信した場合、古い搬送波と同じ搬送波セットに属する新しい搬送波に常駐し、動作周波数ポイントが干渉された時に必要な周波数と帯域幅の調整を行い、即ち搬送波ホッピングを実現し、ユーザ体験を向上させることができる。
【０１１１】
また、一つの実施例として、該第二の時点は該システム情報の送信サブフレームに対応し、及び／又は該第二の時点はページングチャネルの送信サブフレームに対応する。
【０１１２】
また、一つの実施例として、該受信モジュール９１０はさらに、
該第一の時点の後、該第二の搬送波サブセットの搬送波を介して該システム情報を取得するように構成される。
【０１１３】
また、一つの実施例として、該シグナリングは該第二の搬送波サブセットの搬送波を示すための第一の構成情報を含む。
【０１１４】
また、一つの実施例として、該第一の構成情報は該第二の搬送波サブセットの搬送波を示すための搬送波インデックス、中心周波数ポイントインデックス又はビットマップ（ｂｉｔｍａｐ）を含む。
【０１１５】
また、一つの実施例として、該シグナリングは該第一の時点を示すための情報を含む。
【０１１６】
また、一つの実施例として、該シグナリングは該システム情報の属するセルを示すための情報を含む。
【０１１７】
また、一つの実施例として、該シグナリングはブロードキャストチャネル、システム情報、ページングチャネル、ページングチャネルの送信サブフレームにおける物理下りリンク制御チャネルＰＤＣＣＨの共通検索スペースＣＳＳにおける下りリンク制御情報ＤＣＩとページングチャネルの送信サブフレームにおける強化型物理下りリンク制御チャネルＥＰＤＣＣＨのＣＳＳにおけるＤＣＩのうちの少なくとも一つに搬送される。
【０１１８】
注意すべきものとして、本発明の実施例において、受信モジュール９１０は送受信機によって実現されてもよく、処理モジュール９２０はプロセッサによって実現されてもよい。図１０に示すように、端末１０００はプロセッサ１０１０、送受信機１０２０とメモリ１０３０を含むことができる。ここで、メモリ１０３０はプロセッサ１０１０で実行されるコードなどを記憶するように構成されてもよい。
【０１１９】
端末１０００における各コンポーネントはバスシステム１０４０を介して結合され、バスシステム１０４０はデータバスに加えて、電源バス、制御バスと状態信号バスを含む。
【０１２０】
図９に示す端末９００又は図１０に示す端末１０００は前記図１〜図６の実施例で実現される各プロセスを実現することができ、繰り返しを回避するために、説明を省略する。
【０１２１】
図１１は本発明の一つの実施例による基地局１１００の概略的なブロック図である。該基地局１１００は、送信モジュール１１１０及び処理モジュール１１２０を含む。
【０１２２】
前記送信モジュール１１１０は、端末へシグナリングを送信するように構成され、該シグナリングは、該基地局が該第一の搬送波サブセットの搬送波から第二の搬送波サブセットの搬送波にホッピングして動作することを指示することに用いられ、該第一の搬送波サブセットと該第二の搬送波サブセットがいずれも予め設定された搬送波セットに属し、該予め設定された搬送波セットのうちのいずれか二つの搬送波の中心周波数ポイント及び／又は帯域幅が異なり、該予め設定された搬送波セットの全ての搬送波が１セットのシステム情報を共用し、該第一の搬送波サブセットと該第二の搬送波サブセットがそれぞれ少なくとも一つの搬送波を含み、該第一の搬送波サブセットの搬送波が該第二の搬送波サブセットの搬送波と完全に同じではない。
【０１２３】
前記処理モジュール１１２０は、第一の時点から、第二の搬送波サブセットの搬送波で動作するように構成される。
【０１２４】
本発明の実施例では、１セットのシステム情報を共用する搬送波セットを設定し、基地局が古い搬送波と同じ搬送波セットに属する新しい搬送波でホッピングし、シグナリングにより、搬送波でホッピングを行うように端末に指示し、動作周波数ポイントが干渉された時に必要な周波数と帯域幅の調整を行い、即ち搬送波ホッピングを実現し、ユーザ体験を向上させることができる。
【０１２５】
また、一つの実施例として、該送信モジュール１１１０は具体的に、
第一の時点の前に、該第一の搬送波サブセットの搬送波で、ブロードキャストチャネル、物理下りリンク制御チャネルＰＤＣＣＨの共通検索スペースＣＳＳにおける下りリンク制御情報ＤＣＩ、強化型物理下りリンク制御チャネルＥＰＤＣＣＨのＣＳＳにおけるＤＣＩ、ＰＤＣＣＨのユーザ装置ＵＥ専用検索スペースＵＳＳにおけるＤＣＩ、ＥＰＤＣＣＨのＵＳＳにおけるＤＣＩ、専用物理チャネル、メディアアクセス制御ＭＡＣ層のヘッダ、該ＭＡＣ層の制御エレメントＣＥ、無線リソース制御ＲＲＣ層のシステム情報と該ＲＲＣ層の専用シグナリングのうちの少なくとも一つにより、該端末へ該シグナリングを送信するように構成されてもよい。
【０１２６】
また、別の実施例として、該送信モジュール１１１０は具体的に、
該基地局が該第一の時点の後の第二の時点において該第一の搬送波サブセットの搬送波にホッピングして該端末へ該シグナリングを送信するように構成されてもよい。
【０１２７】
ここで、該送信モジュールは以下の方式の少なくとも一つにより、該端末へ該シグナリングを送信する：
該第二の時点がブロードキャストチャネルの送信サブフレームに対応する場合、該ブロードキャストチャネルを介して該シグナリングを送信すること、
該第二の時点が該システム情報の送信サブフレームに対応する場合、該基地局がシステム情報により該シグナリングを送信すること、
該第二の時点がページングチャネルの送信サブフレームに対応する場合、該ページングチャネル、物理下りリンク制御チャネルＰＤＣＣＨの共通検索スペースＣＳＳにおける下りリンク制御情報ＤＣＩとページングチャネルの送信サブフレームにおける強化型物理下りリンク制御チャネルＥＰＤＣＣＨのＣＳＳにおけるＤＣＩのうちの少なくとも一つにより前記シグナリングを送信することである。
【０１２８】
ここで、該第二の時点は、
該第一の時点の後、該ブロードキャストチャネルの先頭のＤ個の送信サブフレーム、
該第一の時点の後、該システム情報の先頭のＤ個の送信サブフレーム、及び
該第一の時点の後、ページングチャネルの先頭のＤ個の送信サブフレームのうちの少なくとも一つに対応し、
ここで、Ｄは正整数であり、プロトコルによって約束され又は該基地局によって配置される。
【０１２９】
また、一つの実施例として、該シグナリングは該第一の時点を示すための情報を含む。
【０１３０】
また、一つの実施例として、該シグナリングは該システム情報の属するセルを示すための情報を含む。
【０１３１】
また、一つの実施例として、該第二の搬送波サブセットの搬送波を示すための第一の構成情報を含む。
【０１３２】
また、一つの実施例として、該第一の構成情報は該第二の搬送波サブセットの搬送波を示すための搬送波インデックス、中心周波数ポイントインデックス又はビットマップ（ｂｉｔｍａｐ）を含む。
【０１３３】
また、一つの実施例として、送信モジュール１１１０は具体的に、
該第一の搬送波サブセットの搬送波上のサブフレームｎにおいて該端末へ該シグナリングを送信するように構成されてもよく、ｎがサブフレームインデックス番号であり、
該処理モジュール１１２０は具体的に、
サブフレームｎ＋Ｎから、該第二の搬送波サブセットの搬送波で動作するように構成されてもよく、Ｎが正整数である。
【０１３４】
ここで、Ｎは定数であり、又は
Ｎは約束されたルールに従って確定され、又は
Ｎは該基地局に配置される。
【０１３５】
また、一つの実施例として、Ｎ約束されたルールに従って確定され、送信モジュール１１１０はさらに、
連続しているＰ個のサブフレームにおいてデータを伝送するように構成されてもよく、Ｐが正整数であり、該サブフレームｎが該連続しているＰ個のサブフレームのうちの一つであり、
該処理モジュール１１２０は具体的に、
サブフレームｎ＋Ｑが該連続しているＰ個のサブフレームのうちの一つであるかどうかを判定し、Ｑが正整数であり且つＱが定数であり、
該サブフレームｎ＋Ｑが該連続しているＰ個のサブフレームのうちの一つではない場合、該サブフレームｎ＋Ｎが該サブフレームｎ＋Ｑであることを確定し、
該サブフレームｎ＋Ｑが該連続しているＰ個のサブフレームのうちの一つである場合、該サブフレームｎ＋Ｎを該連続しているＰ個のサブフレームの後のＣ番目のサブフレームとして確定し、Ｃが正整数且つ定数であり、
ギアサブフレームｎ＋Ｎから、該第二の搬送波サブセットの搬送波で動作するように構成されてもよい。
【０１３６】
また、一つの実施例として、送信モジュール１１１０はさらに、
該基地局が連続しているＰ個のサブフレームにおいてデータを伝送するように構成されてもよく、Ｐが正整数であり、該サブフレームｎと該サブフレームｎ＋Ｎが該連続しているＰ個のサブフレームのうちのサブフレームであり、
該処理モジュール１１２０は具体的に、
該基地局が該第二の搬送波サブセットの搬送波を占有してデータ伝送を行うことを確定する前に、該第二の搬送波サブセットの搬送波で信号又は物理チャネルを送信し、該基地局がデータ伝送を行うことを該端末に通知し、
該サブフレームｎ＋Ｎから、該第二の搬送波サブセットの搬送波でデータを伝送し、該Ｐ個のサブフレームまで終了し、又は該サブフレームｎ＋Ｎから、該第二の搬送波サブセットの搬送波でデータを伝送し、Ｐ＋Ｅ個のサブフレームまで終了し、Ｅが非負整数であり、Ｅの値が周波数変調のために必要な時間領域空きリソースの長さに関連し、又は該サブフレームｎ＋Ｎにおいて、該第二の搬送波サブセットの搬送波で第二の構成情報を送信し、該第二の構成情報が該基地局が該サブフレームｎ＋Ｎから連続して伝送するサブフレームの数がＴであることを示すことに用いられ、Ｔが正整数であり、該基地局がサブフレームｎ＋Ｎから、該第二の搬送波サブセットの搬送波でデータを伝送し、該Ｔ個のサブフレームまで終了するように構成されてもよい。
【０１３７】
注意すべきものとして、送信モジュール１１１０は送受信によって実現されてもよく、処理モジュール１１２０はプロセッサによって実現されてもよい。図１２に示すように、基地局１２００はプロセッサ１２１０、送受信機１２２０とメモリ１２３０を含むことができる。ここで、メモリ１２３０はプロセッサ１２１０で実行されるコードなどを記憶するように構成されてもよい。
【０１３８】
基地局１２００における各部材はバスシステム１２４０を介して結合され、バスシステム１２４０はデータバスに加えて、電源バス、制御バスと状態信号バスを含む。
【０１３９】
図１１に示す基地局１１００又は図１２に示す基地局１２００は前記図１〜図６の実施例で実現される各プロセスを実現することができ、繰り返しを回避するために、説明を省略する。
【０１４０】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１４１】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１４２】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１４３】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１４４】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１４５】
前記機能はソフトウェア機能ユニットの形態で実現され且つ独立した製品として販売または使用される場合、一つのコンピュータ読み取り可能な記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１４６】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2020074575.tif 000008
【図２】
2020074575.tif 000009
【図３Ａ】
2020074575.tif 000010
【図３Ｂ】
2020074575.tif 000011
【図４Ａ】
2020074575.tif 000012
【図４Ｂ】
2020074575.tif 000013
【図５】
2020074575.tif 000014
【図６】
2020074575.tif 000015
【図７】
2020074575.tif 000016
【図８】
2020074575.tif 000017
【図９】
2020074575.tif 000018
【図１０】
2020074575.tif 000019
【図１１】
2020074575.tif 000020
【図１２】
2020074575.tif 000021